(57)【要約】【課題】本発明は、タッチパネルによる入力機能を備えるＩＣカードであり、タッチ部に不用意に触れて起動するような誤作動が起きにくい、無駄な電力の消費を防止できるＩＣカードである。【解決手段】  タッチ入力部とタッチスイッチ部を備えるＩＣカードであり、前記タッチ入力部は、入力機能を備え、前記タッチスイッチ部は、起動スイッチの機能を備え、前記タッチスイッチ部が、カード基材の表裏の両面に配置されていることにより誤作動を防止する。 【選択図】  図１
2014085980.tif 000002
【特許請求の範囲】
【請求項１】
タッチ入力部とタッチスイッチ部を備えるＩＣカードにおいて、
前記タッチ入力部は、入力機能を備え、
前記タッチスイッチ部は、起動スイッチの機能を備え、
前記タッチスイッチ部が、カード基材の表裏の両面に配置されている
ことを特徴とするＩＣカード。
【請求項２】
前記カード基材の表裏にある前記タッチスイッチ部を同時に押えた時に
前記タッチ入力部のタッチ入力が可能となる
ことを特徴とする請求項１に記載するＩＣカード
【請求項３】
前記カード基材の表裏にある前記タッチスイッチ部を一定時間以上押えた時に前記タッチ入力部のタッチ入力が可能となる
ことを特徴とする請求項１または請求項２に記載するＩＣカード。
【請求項４】
カード基材の両面に配置された前記タッチスイッチ部の表面の位置と裏面の位置とが、対応しない異なる位置に配置されている
ことを特徴とする請求項１ないし請求項３のいずれか1項に記載するＩＣカード。
【請求項５】
前記タッチスイッチ部と前記タッチ入力部は、静電容量式タッチセンサで構成されている
ことを特徴とする請求項１ないし請求項４のいずれか1項に記載するＩＣカード。
【請求項６】
前記カード基材の少なくとも一方の面に文字または数字が印刷され、印刷された面上にタッチ入力部が形成されていることを特徴とする請求項１ないし請求項５のいずれか1項に記載するＩＣカード。
【請求項７】
前記カード基材の少なくとも一方の面に表示部が形成されている
ことを特徴とする請求項１ないし請求項６のいずれか1項に記載するＩＣカード。
【発明の詳細な説明】
【技術分野】
【０００１】
本発明は、表示機能およびタッチ入力機能を有するカード媒体に関し、起動の誤作動防止方法に関するものである。
【背景技術】
【０００２】
現在、ＩＣカードは、クレジットカードやキャッシュカード、電子マネー、交通系チケットやＩＤ証などとして利用され広く普及している。
近年、薄型の表示パネルの開発および各種タッチパネルの方式の開発とともに、表示機能やタッチ入力機能を有するＩＣカードが開発されている。
【０００３】
このような機能が付加されることにより、ＩＣカードに記憶された各種個人情報、電子マネー情報などが表示で確認でき、パスワードなどをタッチパネルで入力することにより、より高度なセキュリティ管理が可能となると考えられる。
【０００４】
このような機能は、特許文献１や特許文献２に記載されている。
【０００５】
特許文献１は、ＩＣカードの使用時のセキュリティを向上させるものでＩＣカードの表面に液晶パネルおよび入力キーを配置し、入力キーでパスワードを入力し、入力されたパスワードと予めＩＣカードのＲＯＭに記憶されたパスワードとの比較論理部を備えたＩＣカードで、電力供給としては、内蔵されたバッテリーまたは太陽電池が備えられている。電源のオン／オフの入力は、ＩＣカード表面の入力キーに割り当てられて記載されている。
【０００６】
特許文献２は、ＩＣカード単体でＩＣカードに記憶されたデータの参照もしくは変更が可能なＩＣカードであり、電源供給を外部デバイスと接続して外部デバイスから電源供給を受ける外部接続手段および内部電源手段を備えたもので、これらより内部情報の表示手段や情報入力手段などへ電源を供給するものである。
【先行技術文献】
【特許文献】
【０００７】
【特許文献１】特開２００６−２２１３１３号公報
【特許文献２】特開２００１−２２２６９７号公報
【発明の概要】
【発明が解決しようとする課題】
【０００８】
新たに表示装置やタッチセンサの機能が組み込まれたＩＣカードは、従来のこのような機能が備えられていないＩＣカードに比べ、付加した機能分の電力を消費する。
電源としてカード基材の厚さの規格およびサイズの規格のため、電池の厚さおよびサイズには制約があり、蓄電容量を増す電池も開発がなされているが、消費電力の削減が求められている。
【０００９】
又、取扱い上、ユーザの指により、ＩＣカードの電源スイッチ部にタッチして起動を行う必要があるが、過ってＩＣカードの電源スイッチに接触して誤作動で電源が入るような無駄な電力消費は、無くすことが必要である。
【００１０】
以上のような観点から必要時のみＩＣカードの電源が入っている状態で、必要以外の時には、電源が切れている状態であり、又これが不用意な取扱いなどで誤作動が起きないことが望まれていた。
【００１１】
本発明は、簡便でかつ誤作動が起きにくいＩＣカードを提供するものである。
【課題を解決するための手段】
【００１２】
上記の課題を解決するために、本発明の請求項１に記載の発明に係るＩＣカードは、タッチ入力部とタッチスイッチ部を備えるＩＣカードにおいて、前記タッチ入力部は、入力機能を備え、前記タッチスイッチ部は、起動スイッチの機能を備え、前記タッチスイッチ部が、カード基材の表裏の両面に配置されている
ことを特徴とするものである。
【００１３】
本発明の請求項２に記載の発明に係るＩＣカードは、請求項１に記載するＩＣカードにおいて、前記カード基材の表裏にある前記タッチスイッチ部を同時に押えた時に前記タッチ入力部のタッチ入力が可能となる
ことを特徴とするものである。
【００１４】
本発明の請求項３に記載の発明に係るＩＣカードは、請求項１または請求項２に記載するＩＣカードにおいて、前記カード基材の表裏にある前記タッチスイッチ部を一定時間以上押えた時に前記タッチ入力部のタッチ入力が可能となる
ことを特徴とするものである。
【００１５】
本発明の請求項４に記載の発明に係るＩＣカードは、請求項１ないし請求項３のいずれか1項に記載するＩＣカードにおいて、カード基材の両面に配置された前記タッチスイッチ部の表面の位置と裏面の位置とが、対応しない異なる位置に配置されている
ことを特徴とするものである。
【００１６】
本発明の請求項５に記載の発明に係るＩＣカードは、請求項１ないし請求項４のいずれか１項に記載するＩＣカードにおいて、前記タッチスイッチ部と前記タッチ入力部は、静電容量式タッチセンサで構成されている
ことを特徴とするものである。
【００１７】
本発明の請求項６に記載の発明に係るＩＣカードは、請求項１ないし請求項５のいずれか1項に記載するＩＣカードにおいて、前記カード基材の少なくとも一方の面に文字または数字が印刷され、印刷された面上にタッチ入力部が形成されていることを特徴とするものである。
【００１８】
本発明の請求項７に記載の発明に係るＩＣカードは、請求項１ないし請求項６のいずれか1項に記載するＩＣカードにおいて、前記カード基材の少なくとも一方の面に表示部が形成されていることを特徴とするものである。
【００１９】
本発明の請求の範囲および明細書に記載のカード基材は、基材とも記載する。
本発明の請求の範囲および明細書に記載の制御マイコンは、ＩＣチップとも記載する。
本発明の明細書に記載のＩＣカードの表裏面は、タッチ入力部にタッチして入力する面をＩＣカードの表面と記載し、ＩＣカードの表面の反対側の面をＩＣカードの裏面と記載する。
【発明の効果】
【００２０】
本発明におけるＩＣカードは、基材の表裏両面にタッチスイッチが配置されており、片面のタッチスイッチに指で押しただけでは起動せず、表裏のタッチスイッチを指で同時に押すことにより、電源が入るため、ＩＣカードの片面のタッチスイッチに不用意に押して起動するような誤作動が、起きにくい。従って、無駄な電力の消費を防止できる。
【図面の簡単な説明】
【００２１】
【図１】第一の実施形態におけるＩＣカードの構成を平面視で示した図である。
【図２】第二の実施形態におけるＩＣカードの構成を平面視で示した図である。
【図３】第一の実施形態におけるａ１−ａ２線でのＩＣカードの断面図
【図４】第二の実施形態におけるｂ１−ｂ２線でのＩＣカードの断面図
【図５】第三の実施形態におけるＩＣカードの構成を平面視で示した図である。
【図６】ＩＣカードの動作を示すフローチャート
【図７】接触式ＩＣカードの平面視で示した図である。
【図８】非接触式ＩＣカードの平面視で示した図である。
【図９】第一の実施形態におけるｃ１−ｃ２線でのＩＣカードの断面図          Ａ  タッチパネルを分割して貼り合せた構成を示す図          Ｂ  タッチパネルをシート状態で形成し一括して貼り合せた構成図
【図１０】第三の実施形態のおけるＩＣカードの動作フローを説明するための模式図
【図１１】ＩＣカードの動作を示すフローチャート
【図１２】ＩＣカードの動作を示すフローチャート
【発明を実施するための形態】
【００２２】
本発明を実施するための形態におけるＩＣカードの構成について説明する。
【００２３】
前記カード基材１０に、タッチスイッチ部２０（２０ａ及び２０ｂ）とタッチ入力部３０が備えられたＩＣカードであり、クレジットカードやキャッシュカード、電子マネー、交通系チケットやＩＤカードなどとしての機能を有する。
【００２４】
（第一の実施形態）
本発明の第一の実施形態を図１に示す接触型ＩＣカードで説明する。
【００２５】
図１に示す本発明の第一の実施形態は、制御マイコン（ＩＣチップ）４０、磁気ストライプ８０が備わる前記一般的な接触型ＩＣカードにタッチスイッチ部２０（２０ａ及び２０ｂ）とタッチ入力部３０と電源部５０を設けたものである。
【００２６】
制御マイコン（ＩＣチップ）４０は、ＣＰＵを備え、ＩＣカード全体を制御する。たとえば、タッチ入力部３０より入力された入力情報がＩＣカードに記憶されている情報と照合し入力情報が正しいか否かを判定し、判定結果が正しい場合は、ＩＣカードを使用できる状態にする。
【００２７】
タッチスイッチ部２０は、電源のオンまたはオフのスイッチとして機能するもので、カード基材１０の表面側のタッチスイッチ部２０ａと裏面側のタッチスイッチ部２０ｂとが両面に備えられている。
【００２８】
タッチ入力部３０は、カード基材１０の少なくとも一面に備えられ、ユーザの指先やペンなどのタッチや動きを検出する機能を備える。
【００２９】
電源部５０は、タッチスイッチ部２０およびタッチ入力部３０への電力を供給する機能を備える。
【００３０】
初めに前記タッチスイッチ部２０について詳細を説明する。
【００３１】
前記タッチスイッチ部２０のＩＣカードの断面から見た配置を図１のａ１−ａ２線における断面を表す図３で説明する。
タッチスイッチ部２０ａを基材１０の表面に配置し、もう一つのタッチスイッチ部２０ｂを基材１０の裏面に配置する。タッチスイッチ部２０ａおよび２０ｂの上面には、カバーシート１１が保護シートとして貼り付けられる。
【００３２】
ＩＣカードの電源をオンにする場合は、ＩＣカードの表面のタッチスイッチ部２０ａと裏面のタッチスイッチ部２０ｂを同時に押すことにより、起動する。
【００３３】
表面のタッチスイッチ部２０ａまたは裏面のタッチスイッチ部２０ｂのどちらか一方のタッチスイッチ部だけに押しただけでは電源は入らなく、表裏両面のタッチスイッチ部２０ａと２０ｂとを同時に押さないと起動できないことにより誤動作を防ぎ、無駄な電力消費を防止できる。
【００３４】
表面と裏面のそれぞれのタッチスイッチ部２０ａと２０ｂの配置は、両面とも同じ位置に配置しても良いが、表面と裏面のタッチスイッチ部２０ａと２０ｂとを表面の位置と裏面の位置とが、対応しない異なる位置に配置した方が、誤作動をより確実に防止でき、無駄な電力消費を防止できる。
【００３５】
前記タッチスイッチ部２０ａと２０ｂを対応しない異なる位置に配置する内容について具体的に説明する。
具体的には、左手でＩＣカードを把持する場合、一般的に左手の親指がＩＣカード表面のタッチスイッチ部２０ａを押し、人差し指または中指がＩＣカードの裏面を押え、ＩＣカードを把持する。
【００３６】
このとき、人差指または中指が、ＩＣカード裏面のタッチスイッチ部２０ｂに接触し難い位置に、裏面のタッチスイッチ部２０ｂを配置することを意図するものである。
【００３７】
図１は、ＩＣカードの長辺方向（Ｘ方向）の左右にタッチスイッチ部２０（２０ａおよび２０ｂ）を振り分けて配置したＩＣカードである。表面のタッチスイッチ部２０ａがＩＣカードの左側に配置され、裏側のタッチスイッチ部２０ｂがＩＣカードの右側に配置されている。タッチスイッチ２０（２０ａと２０ｂ）の間の距離を長く確保できるため、ＩＣチップやタッチ入力部など他の部材との干渉を避け易い構成である。
【００３８】
又左手片手で表面のタッチスイッチ２０ａを押しＩＣカードを把持した状態で、裏面のタッチスイッチ部２０ｂを右手で押しやすい配置でもある。
【００３９】
片手でＩＣカードを把持する時は、親指と人差指がＩＣカードの表裏の同じ位置にふれるのが自然な動作であり、表面のタッチスイッチ部２０ａと裏面のタッチスイッチ部２０ｂが表裏で対応する同じ位置にあると左手で把持した時、両方のタッチスイッチ２０ａおよび２０ｂに同時に接触しやすい。従って両方のタッチスイッチ２０ａと２０ｂとの配置を左手で把持した際に接触し難くする為に、異なる位置に配置する。
左手でＩＣカードの表面のタッチスイッチ部２０ａを押して把持し、右手の指で裏面のタッチスイッチ部２０ｂを押すことにより、初めて電源が入る。
【００４０】
右手でＩＣカードを把持する場合も同様に右手でＩＣカードの表面のタッチスイッチ部２０ａを押して把持し、左手の指で裏面のタッチスイッチ部２０ｂを押すことにより、初めて電源が入る。
以上のように片手では電源が入りにくい配置にすること、すなわち表面のタッチスイッチ２０ａと裏面のタッチスイッチ２０ｂとを異なる配置にすることより、より誤作動を防止でき、無駄な電力消費を防止できる。
【００４１】
上述したように誤動作を防ぐためカード基板１の表裏両面に配置したタッチスイッチ部でも、偶然に接触し、誤動作を起こすことも考えられるため、更なる防止方法として、一定時間以上両面のタッチスイッチ部２０ａと２０ｂとに接触していることを認識して電源が入る機能を付加することも可能である。
偶然の接触による誤動作を防止するためには２秒以上両面のタッチスイッチ部２０ａと２０ｂとに同時に接触することを認識して電源が入る設定が好ましい。又前記同時に接触する時間が５秒を超えるとスイッチとしての操作性が問題となる為、本実施形態では同時に接触する時間を３秒に設定した。
【００４２】
次に平面視での配置について図７を用いて説明する。
【００４３】
一般的な接触型ＩＣカードは、図７に示すようにカード基材１０に制御マイコン（ＩＣチップ）４０を備えており、接触型のＩＣカード用リーダー／ライターに差し込んで使用される。図に詳細は記載してないが制御マイコン４０（ＩＣチップ）の金属端子がカード表面又は裏面に露出しており、カードがリーダー／ライターに挿入したときにこの金属端子の接点を通じてリーダー／ライターから電力が供給される。
【００４４】
又前記接触型ＩＣカードには、磁気カード用の電磁ストライプ８０も備えられているのが一般的である。
【００４５】
接触型ＩＣカードは、カードケースからの抜き差し、ＩＣカードリーダや磁気カードリーダへの抜き差しなど運用上でＩＣチップが物理的な衝撃を受けやすく物理的なストレスにより破損することもある。
【００４６】
従ってタッチスイッチ部２０は、上述したようなＩＣカードが本来備わっている機能を損なうことなく又ＩＣカードの強度を弱めることのないように配置する。
【００４７】
ＩＣチップ及び磁気ストライプの領域を避け、ＩＣチップまたは磁気ストライプと重ならない領域Ｄを図７に示す。
本発明の第一の実施形態におけるタッチスイッチ部２０は、指で接触を繰り返す動作が必要であり、図７に示す領域Ｄに形成される。
【００４８】
タッチスイッチ部２０を前記領域Ｄに設けることによりこのような外部からの押し圧や摩擦などのストレスを避けることが出来、接触式ＩＣカードの書き込みエラーや読み取りエラーを防止できる。
【００４９】
タッチスイッチ部２０は、静電容量式タッチセンサや抵抗膜式タッチセンサやメカニカルスイッチでも良いが、抵抗膜式タッチセンサやメカニカルスイッチは、押し圧でセンサ電極を接触させて、スイッチをオンにさせるため、ＩＣカードに物理的な衝撃が加わり、ＩＣカードの破損が生じやすい。これに対して静電容量式タッチセンサは、指をカード表面に軽く接触させることにより、スイッチをオンにすることが出来るため、ＩＣカードへの物理的な衝撃を避けることができ、ＩＣカードの破損が生じ難い。
【００５０】
タッチスイッチ部２０に続いてタッチ入力部３０について説明する。
【００５１】
タッチ入力部３０は、カード基材１０の少なくとも一面に備えられ、ユーザの指先やペンなどのタッチや動きを検出する機能を備える。
図１には、記載してないがカード基材１０に入力候補文字を印刷し、この印刷された上面に透明なタッチパネルを貼りタッチ入力部３０を形成する。
【００５２】
電源が入った状態でタッチ入力部３０より、パスワードなど個人情報を入力する。
前記タッチ入力部３０は、前記個人情報の入力に必要な文字および数字が印刷されたカード基材上にタッチパネルを備えた構成である。
タッチ入力部３０の平面視での配置については、前述したタッチスイッチ部２０と同様で図７の領域Ｄに形成する。
タッチ入力部３０は、指又はペンで接触して入力する動作を伴う為、領域Ｄに形成されることにより、ＩＣチップ部および磁気ストライプ部への外部からの押し圧や摩擦などのストレスを避けることが出来又接触式ＩＣカードの書き込みエラーや読み取りエラーを防止できる。
【００５３】
タッチ入力部３０は、静電容量式タッチパネルや抵抗膜式タッチパネルで形成できるが、タッチセンサ基材１２として薄膜化した透明フィルムの両面に電極加工した静電容量式タッチパネルが薄膜化およびタッチパネルの下の印刷物の見易さの点またジェスチャ機能などを付加する上で好ましい。又タッチスイッチ部２０で説明したように静電容量式のタッチセンサを用いることにより、ＩＣカードへの物理的な衝撃を避けることができ、ＩＣカードの破損に対しても有利である。
【００５４】
ＩＣカードの厚さは、０．７８ｍｍ以下の制約があるため、タッチパネルとしては、タッチ入力機能を備え、厚さが薄く、下地の印刷物が見えやすい透明なタッチパネルが好ましい。本第一の実施形態では、１００μｍ厚さのＰＥＴフィルムの両面に透明センサ電極を形成した静電容量式タッチパネルを、カード基材１０に貼り合せしタッチ入力部２０（２０ａ及び２０ｂ）を形成した。
静電容量式タッチパネルのタッチセンサ基材１２は、１００μｍの厚さに限らず、５０μｍから２００μｍの厚さのＰＥＴフィルムを適用することが出来る。
【００５５】
次にタッチスイッチ部２０とタッチ入力部３０とをＩＣカードに組み込む方法について図９を参照して説明する。
図１に示す前記ＩＣカードの平面図のｃ１−ｃ２線における断面を図９Ａと図９Ｂに示す。
タッチスイッチ部２０ａとタッチ入力部３０を基材１０の表面に配置し、もう一つのタッチスイッチ部２０ｂを基材１０の裏面に配置し、表裏両面の上には、更にカバーシート１１で保護してある。
【００５６】
図９Ａは、ＩＣカードの表面のタッチ入力部３０および裏面のタッチスイッチ部２０ｂに対してそれぞれタッチパネル１３を貼り合せた構成を示す。図１のｃ１−ｃ２線における断面であり、表面のタッチスイッチ部２０ａは記載されてないが、タッチ入力部３０と同じ面に貼り合される。
【００５７】
図９Ｂは、タッチセンサ基材１２の表裏両面にセンサ電極を形成した静電容量式タッチパネル１３をカード基材１０の表面及び裏面に貼り合せてタッチスイッチ部２０とタッチ入力部３０を形成した構成を示す。
【００５８】
図９Ｂは、図１のｃ１−ｃ２線における断面であり、表面のタッチスイッチ部２０ａは記載されてないが、カード基材１０の表面には、タッチスイッチ部２０ａとタッチ入力部３０の静電容量式タッチパネル１３を同一タッチセンサ基材１２に一括形成し貼り合せ、カード基材１０の裏面には、タッチスイッチ部２０ｂのタッチパネル１３を形成したタッチセンサ基材１２を貼り合せる。図９Ｂには、タッチセンサ基材１２の両面にセンサ電極を形成し記載してあるが、センサ電極をタッチセンサ基板１２の片面にだけ形成したものでも良い。
【００５９】
図９Ｂに示すように同一タッチセンサ基材１２にタッチスイッチ部２０及びタッチ入力部３０を配置しカード基材１０に一括して貼り合せることにより工程の簡略化ができ、カードの平坦性も確保できる。
【００６０】
前記カード基材１０にタッチスイッチ部２０及びタッチ入力部３０を形成したタッチセンサ基材１２を一括して貼り合せる方法は、タッチパネル付ＩＣカードを多面付け製造が容易であり、生産性が向上する。
【００６１】
電源は、ＩＣカードの電源がオンとなってから一定時間が経過した後にオフになる。これは、電源の消し忘れを防止する為のものであり、操作中に一定時間が経過して電源がオフとなった場合は、改めてタッチ入力部２０で起動させることが出来る。
又ＩＣカードの使用状況により、一定時間で自動的に電源のオフになると不都合な場合もあり、タッチ入力により任意に電源をオフする操作について、後述する動作フロー図１１と図１２で説明する。
【００６２】
図１を参照して接触型ＩＣカードの全体構成を説明したが、図１には、記載してないが、上述したようにカード基材１０に印刷された文字や数字を選択し個人情報を入力することが出来る。後述する動作フローで詳しく説明する。
【００６３】
（第二の実施形態）
図２は本発明の第二の実施形態における非接触型ＩＣカードの全体構成を示す図である。
【００６４】
一般的な非接触型ＩＣカードは、図８に示すようにカード基材１０にコイル式アンテナ６０および制御マイコン４０を備えており、非接触型ＩＣカードをリーダー／ライターにかざすことにより、カード内に埋め込まれたコイルアンテナ６０が、電磁波を受信し、それをエネルギー変換して電源を供給して、無線でデータのやり取りを行う。
【００６５】
図８に前記一般的な非接触型ＩＣカードを示す。
非接触型ＩＣカードは、外部からの物理的なストレスでアンテナ線が切れることや、アンテナ線とＩＣチップの結合が剥がれることがあり、タッチスイッチ部２０とタッチ入力部３０の配置は、アンテナ線およびＩＣチップにストレスのかからない配置を考慮する必要がある。
【００６６】
第二の実施形態は、図８に示すような一般的な非接触型ＩＣカードの基本的な構成にタッチスイッチ部２０とタッチ入力部３０と電源部５０と表示部７０とを備えたもので図２に示される。
【００６７】
本発明の第二の実施形態の非接触型ＩＣカードにおけるタッチスイッチ部２０およびタッチ入力部３０は、指で接触を繰り返す動作が必要であり、アンテナ線の領域と重なるとアンテナ線が切れることや、アンテナ線とＩＣチップの結合が剥がれる危険性があるため、アンテナ線と重ならない領域にタッチスイッチ部２０とタッチ入力部３０を形成する。
【００６８】
非接触型ＩＣカードのアンテナ線と重ならない領域を図８の領域Ｄに示す。
タッチスイッチ部２０およびタッチ入力部３０を前記アンテナ線と重ならない領域Ｄに形成することにより、アンテナ線への押し圧や摩擦などのストレスを防ぎ、非接触ＩＣカードの破損を防止できる。
【００６９】
制御マイコン４０は、ＣＰＵを備え、ＩＣカード全体を制御する。たとえば、タッチ入力部３０で検出されたタッチ情報に基づいて、ＩＣカードに記憶された個人情報との照合または表示部７０の表示画面の切り替えや表示内容などを制御する。
【００７０】
前記タッチ入力部３０は、前記個人情報の入力に必要な文字および数字が印刷されたカード基材上にタッチパネルを備えた構成である。これにより、印刷された入力候補よりパスワードや個人情報など入力に必要な文字や数字を選択し入力できる。
【００７１】
タッチ入力部３０は、基板の少なくとも一面に備えられ、ユーザの指先やペンなどのタッチや動きを検出する機能を備える。
タッチ入力部３０の平面視における配置は、ＩＣカードのタッチスイッチ部２０以外の図８に示す領域Ｄに配置される。
【００７２】
前記タッチパネルとしては、透明導電性のセンサ電極を５０μｍから２００μｍのポリエステルフィルム（ＰＥＴ）の両面又は片面に形成した静電容量式タッチセンサを使用する。
【００７３】
表示部７０は、タッチ入力部３０で入力した情報を表示することができ、入力情報がＩＣカードに記憶された情報と一致しているか否かが確認できる。
図２では、表示部がタッチ入力部３０と重なっているが、分離した配置でも良い。
【００７４】
タッチスイッチ部２０は、電源のオンまたはオフのスイッチとして機能するもので、カード基材１０の表面と裏面との両面に備えられている。
【００７５】
図２のＩＣカードのｂ１とｂ２線における断面を表す図４で説明する。
第二の実施形態においては、表裏のタッチスイッチ部２０（２０ａと２０ｂ）をＩＣカードの短辺方向（Ｙ）の上下に振り分けて配置したものである。
図２では、表裏のタッチスイッチ部２０（２０ａと２０ｂ）は、ＩＣカードの左側に配置されているが、右側に配置されても良い。
タッチスイッチ部２０の上面は、カバーシート１１で保護される。
【００７６】
図２では記載していないが、各タッチパネルは、第一の実施形態の図９Ｂを用いて説明したように、カード基材１０の表面に、タッチスイッチ部２０ａとタッチ入力部３０のタッチパネル１３を同一タッチセンサ基材１２に形成し貼り合せ、カード基材１０の裏面に、タッチスイッチ部２０ｂのタッチパネル１３を形成したタッチセンサ基材１２を貼り合せて形成できる。
【００７７】
ＩＣカードの両面に配置したタッチスイッチ部２０の機能については、
タッチスイッチ部２０ａまたは裏面のタッチスイッチ部２０ｂのどちらか一方のタッチスイッチ部だけを押しただけでは電源は入らなく、表裏両面のタッチスイッチ部２０ａと２０ｂとを同時に押さないと起動できないことにより誤動作を防ぎ無駄な電力消費を防止するものである。
【００７８】
表面と裏面のそれぞれのタッチスイッチ部２０ａと２０ｂの配置は、両面とも同じ位置に配置しても良いが、表面と裏面のタッチスイッチ部２０ａと２０ｂを表面の位置と裏面の位置とが、対応しない異なる位置に配置した方が、誤作動をより確実に防止でき、無駄な電力消費を防止するものである。
【００７９】
具体的には、左手でＩＣカードを把持する場合、一般的に左手の親指が表面のタッチスイッチ部２０ａを押し、人差し指または中指がＩＣカードの裏面を支え、ＩＣカードを把持する。
【００８０】
左手のこのＩＣカードの裏面を支える指がＩＣカードを把持した際に裏面のタッチスイッチ部２０ｂに接触し難い位置に裏面のタッチスイッチ部２０ｂを配置する。
【００８１】
表面のタッチスイッチ部２０ａと裏面のタッチスイッチ部２０ｂが表裏で対応する同じ位置にあると左手片手で把持した時、両方のタッチスイッチ２０ａおよび２０ｂに同時に接触しやすい。従って両方のタッチスイッチ２０ａと２０ｂとの配置を左手片手で把持した際に接触し難くする為に、異なる位置に配置する。
【００８２】
左手でＩＣカードの表面のタッチスイッチ部２０ａを押して把持し、右手の指で裏面のタッチスイッチ部２０ｂを押すことにより、初めて電源が入る。
【００８３】
右手でＩＣカードを把持する場合も同様に右手でＩＣカードの表面のタッチスイッチ部２０ａを押して把持し、左手の指で裏面のタッチスイッチ部２０ｂを押すことにより、初めて電源が入る。
以上のように片手では電源が入りにくい配置にすること、すなわち表面のタッチスイッチ２０ａと裏面のタッチスイッチ２０ｂとを異なる配置にすることにより、より誤作動を防止でき、無駄な電力消費を防止できる。
【００８４】
第二の実施形態におけるタッチスイッチ部２０（２０ａと２０ｂ）は、それぞれ上下方向（Ｙ）に振り分けられ、ＩＣカードの左右方向（Ｘ）のいずれかの短辺側に寄せる配置が可能となる。この配置において、タッチスイッチ部２０の配置されてない短辺側をＩＣカードの把持する部分とすることにより、不用意にタッチスイッチ部（２０）を押すことを防ぐことができ、誤動作を防止できる。
【００８５】
（第三の実施形態）
図５は本発明の第三の実施形態における接触型ＩＣカードの全体構成を示す図である。
図１に示す第一の実施形態に表示部７０が備えられた接触型ＩＣカードである。
表示部７０は、薄膜化した液晶表示パネルや有機ＥＬが使用できる。
表示部上にタッチ入力部を重ねることにより、表示部の画面に対してタッチ入力が可能となる。
【００８６】
図５には、表示部７０がタッチ入力部３０と重ねて記載してあるが、図１０に示すように、タッチ入力３０と表示部７０を分離した配置でも良い。
【００８７】
表示装置と重ねて配置する前記タッチ入力部３０としては、センサ電極を５０μｍから２００μｍのポリエステルフィルム（ＰＥＴ）の両面に形成した静電容量式タッチセンサを使用するのが、表示品質および薄膜化の点で有利である。
【００８８】
図１０は、第三の実施形態と同様の接触型ＩＣカードであり、個人情報を入力するタッチ入力部３０と入力された情報を表示する表示部７０を備えたＩＣカードである。
【００８９】
タッチ入力部３０は、カード基材１０の表面上に入力候補文字の０から９と入力情報を確定するＥと入力情報をクリアするＣが印刷されており、印刷されたカード基材の上に印刷された文字が確認できる透過性の静電容量式タッチパネルが配置されている。
表示部７０は液晶表示パネルがカード基材に備えられ、入力された文字を表示する。
【００９０】
次に本発明の本実施形態における図１０に示すタッチスイッチ部２０ａ、２０ｂとタッチ入力部３０と表示部７０を備える接触型ＩＣカードの動作について図６の動作フローチャートを参照し説明する。
【００９１】
ステップＳ１では、ＩＣカードの表面の左側にあるタッチスイッチ２０ａを左手で押し裏面の右側にあるタッチスイッチ２０ｂを右手で同時に押すことにより電源をオンとする。
【００９２】
ステップＳ２では、タッチ入力部３０の０から９の数字で既に制御マイコン４０に記憶されている４ケタのパスワードを入力する。入力した数字が確認のために表示部７０に現れる。入力した数字でよければＥを押し確定する。入力数字を間違えた場合はＣを押しクリアした後に再度入力する。
【００９３】
ステップＳ３では、制御マイコンが入力されたパスワードと既に制御マイコン４０に記憶されている４ケタのパスワードを比較して確認する。
【００９４】
パスワードが不一致の場合は、表示部７０にＮＧが表示され、Ｓ２に戻り、パスワードを再入力する。
【００９５】
パスワードが一致すると表示部７０にＯＮが表示され、ＩＣカードが使用可能な状態であるステップＳ４となる。
【００９６】
ステップＳ４では、ＩＣカードとして機能しＩＣカード用リーダー／ライターで読み取り、書き込みが可能となる。
【００９７】
ステップＳ５では、ステップＳ１と同じようにＩＣカードの表面のタッチスイッチ部２０ａと裏面の２０ｂを指で押すことにより電源をオンとし、タッチ入力部３０および表示部７０が機能できる状態となる。
【００９８】
ステップＳ６では、タッチ入力部３０のＣ（クリア）を押す。これにより入力されていたパスワードが消去されＩＣカードが使用できない状態となる。
【００９９】
又タッチ入力部３０にジェスチャ機能を持たせ、ジェスチャ操作で電源をオフとすることも可能である。図１１のステップＵ１からＵ５に操作のフローを示す。ステップＵ１からＵ４までは、前述したステップＳ１からＳ４と同じ操作である。
【０１００】
ステップＵ５の動作について図１０を参照し説明する。
タッチ入力部３０には、ジェスチャ機能を備えた静電容量式タッチパネルを用い、電源をオフする場合において、タッチ入力部３０上のある部分に指でタッチした状態でスライドすること（ジェスチャ機能）により電源がオフとなりパスワードが消去されＩＣカードが使用できない状態となる。ジェスチャ機能とは、図１０の矢印９０に示すようにタッチ入力部３０の上を指でタッチしてスライドすることにより電源がオフになる動作である。
【０１０１】
使用状態のＩＣカードの電源がＩＣカードの一部に接触し、電源がオフとなりパスワードが消去され使用不可能な状態になることを防止するためのものである。
【０１０２】
上述した動作フローは一例であり、両面に備えられたタッチスイッチ部２０でＩＣカードを起動し、パスワードを入力し使用可能となったＩＣカードを操作した後に一定時間が経過した時点で、パスワードがクリアされ、カードが使用できない状態になることでも良い。
【０１０３】
図１２のステップＴ１からＴ５に操作のフローを示す。
ステップＴ１からＴ４までは、前述したＳ１からＳ４と同じ操作である。
ＩＣカードの使用が短時間の場合では、パスワードも自動的に消去される為、パスワードの消し忘れによる事故もなく、人為的にパスワードを消すＳ１からＳ５又はＵ１からＵ５の操作に比べて、セキュリティ面で安全である又使用中に一定時間が過ぎた時は、ステップＴ１より再度タッチスイッチで電源を入れ使用する。
【０１０４】
以上説明したような操作で表裏のタッチスイッチ部を同時に押し起動して、印刷された入力候補の文字や数字を用いてパスワードをタッチ入力部３０より簡便な入力で、セキュリティを確保してＩＣカードを使用できる。又カードケースへの出し入れやＩＣカードの単なる把持するような動作では、ＩＣカードのタッチスイッチ部２０ａおよび２０ｂが同時に接触し難い配置の為、誤動作をすることも無く、無駄な電力消費を防止できた。
【産業上の利用可能性】
【０１０５】
本発明におけるタッチパネルを利用した両面タッチスイッチは、上述したＩＣカードのような薄い板状またはフィルム状の各種表示機能や入力機能を備えた製品に適用できる。例えば、飲食店などのメニューや展示した商品の説明用のシート状のディスプレイやカタログなどである。
【０１０６】
現在まだ紙媒体やプラスチック媒体に単に印刷されているものが一般的であるが、薄型ディスプレイパネルおよびタッチパネルにより入力機能を付加することにより、利便性が良くなる。これらも消費電力を抑えるために使用時のみ電源をオンとし、且つ無意識に接触したような時には、起動を防止することが必要である。
これらの用途に対しても本発明の両面タッチスイッチは、有効である。
【符号の説明】
【０１０７】
１０      カード基材、基材
１１      カバーシート
１２      タッチセンサ基材
１３      タッチセンサ、タッチパネル
２０      タッチスイッチ部
２０ａ    カード表面のタッチスイッチ部
２０ｂ    カード裏面のタッチスイッチ部
３０      タッチ入力部
４０      制御マイコン、ＩＣチップ
５０      電源部
６０      コイル式アンテナ部
７０      表示部
８０      電磁ストライプ部
９０      ジェスチャ操作
Ｄ        タッチスイッチ部およびタッチ入力部を配置する領域
【図１】
2014085980.tif 000003
【図２】
2014085980.tif 000004
【図３】
2014085980.tif 000005
【図４】
2014085980.tif 000006
【図５】
2014085980.tif 000007
【図６】
2014085980.tif 000008
【図７】
2014085980.tif 000009
【図８】
2014085980.tif 000010
【図９】
2014085980.tif 000011
【図１０】
2014085980.tif 000012
【図１１】
2014085980.tif 000013
【図１２】
2014085980.tif 000014